(57)【要約】【課題】  残材が発生しやすい長辺方向の切断を最小限とし、上床用パネルを有効利用できるようし、上床用パネルの残材が産業廃棄物となるのを防止する。【解決手段】  部屋の任意の一辺から上床用パネルの長辺が前記一辺と平行となるように複数列割り付け、最後の列を前記上床用パネルの長辺が今まで割り付けたものと直角方向となるようにする。上床用パネルを長辺方向に切断するとしても、その長さは最後の列の幅でよいので、残材の発生を最小限にできる。【選択図】      図１
2005097900.tif 000002
【特許請求の範囲】
【請求項１】
下床上に設置した床支持具上に上床用パネルを貼付する二重床の前記上床用パネルの割付方法において、部屋の任意の一辺から前記上床用パネルの長辺が前記一辺と平行となるように複数列割り付け、最後の列を前記上床用パネルの長辺が今まで割り付けたものと直角方向となるように割り付けることを特徴とする二重床の上床貼付パネル割付方法。
【請求項２】
請求項１の割付方法において、前記最後の列の幅を２００ｍｍよりも広くすることを特徴とする二重床の上床貼付パネル割付方法。
【請求項３】
請求項１又は２の割付方法において、前記上床用パネルが上床ベースパネルであることを特徴とする二重床の上床貼付パネル割付方法。
【請求項４】
下床上に設置した床支持具及び該床支持具上に形成した上床を有する二重床であって、請求項１〜３の割付方法で上床用パネルを割り付けたことを特徴とする二重床。
【発明の詳細な説明】
【技術分野】
【０００１】
本発明は、コンクリートスラブなどの下床の上に上床を施工する二重床における上床に貼付する上床用パネルの割付方法、及びこの方法で上床用パネルを割り付けた二重床に関する。
【背景技術】
【０００２】
従来から、コンクリートスラブなどの下床の上に床支持具を配置し、その上にパーティクルボードなどの上床ベースパネルを貼付し、さらにその上に仕上げ材を貼付する二重床が知られている（特許文献１〜５参照）。
【特許文献１】特開昭５７−１１９０５５号公報
【特許文献２】特開平１０−２４５９６４号公報
【特許文献３】特開２００１−９８７４７号公報
【特許文献４】実開昭５６−１５５０４２号公報
【特許文献５】実開昭５６−１７４６３６号公報
【０００３】
図８は従来の上床用パネル（上床ベースパネル）の割付方法の説明図で、壁Ａ、Ｂ、Ｃ、Ｄに囲まれた２５００ｍｍ×３３４０ｍｍの長方形の部屋に割り付けた場合の例を示している。この場合、上床ベースパネルは最も一般的な長さ１８２０ｍｍ×幅６００ｍｍ、厚さ２０（又は２５）ｍｍのパーティクルボードである。
【０００４】
図８に示す割付方法は、上床ベースパネル１を壁Ａの側から、上床ベースパネル１の長辺が壁Ａと平行となるように６列で割り付けている。図中一点鎖線の矢印は上床ベースパネルの長辺方向及び貼り付け順序を示している。第１列と第６列の幅を４２０ｍｍとしているのは、仮に第１〜５列の幅を６００ｍｍとすれば、第６列の幅が２４０ｍｍとなってしまい、貼付した上床ベースパネルが不安定になって好ましくないから、（６００ｍｍ＋２４０ｍｍ）÷２＝４２０ｍｍとし、なるべく広い幅で上床ベースパネルが安定するようにしているからである。
【０００５】
このように、従来方法で上床ベースパネル１を割り付けると、上床ベースパネルを長辺方向に切断した残材が多く生じる。残材は幅が２５０ｍｍ以下の切り残し部分で、上床ベースパネルとしては使用不能であり、主に産業廃棄物として破棄されるものである。図８において、斜線で示した部分が残材で、長辺方向に切断した残材は１８０ｍｍ×１８２０ｍｍ、１８０ｍｍ×６８０ｍｍが各２枚と、短辺方向に切断した残材６００ｍｍ×２３０ｍｍが１枚発生している。
【発明の開示】
【発明が解決しようとする課題】
【０００６】
本発明は、残材が発生しやすい長辺方向の切断を最小限とし、上床用パネルを有効利用できるようにすると共に、上床用パネルが産業廃棄物となるのを防止し環境負荷を低減することを課題としてなされたものである。
【課題を解決するための手段】
【０００７】
本願の請求項１の発明は、下床上に設置した床支持具上に上床用パネルを貼付する二重床の前記上床用パネルの割付方法において、部屋の任意の一辺から前記上床用パネルの長辺が前記一辺と平行となるように複数列割り付け、最後の列を前記上床用パネルの長辺が今まで割り付けたものと直角方向となるように割り付けることを特徴とする二重床の上床貼付パネル割付方法である。
【０００８】
最後の列をそれまでの割付方向と直角方向にしたので、上床用パネルを長辺方向に切断する可能性があるのは最後の列のみとなり、切断する長さは最後の列の幅でよいから、上床用パネルの長辺方向の切断がきわめて短いものでよく、残材の発生を最小限にすることができる。
【０００９】
本願の請求項２の発明は、請求項１の割付方法において、前記最後の列の幅を２００ｍｍよりも広くすることを特徴とする二重床の上床貼付パネル割付方法である。
【００１０】
最後の列の幅は２００ｍｍ（さらに好ましくは２５０ｍｍ）よりも広くすることが望ましい。最後の列の幅が小さくなると、貼付した上床用パネルが不安定となって好ましくない。このような場合は、列の数を１列減らして、最後の列の幅が２００ｍｍ（さらに好ましくは２５０ｍｍ）を超えるようにする。例えば、最後の第６列目の幅が２４０ｍｍとなってしまう場合には、列の数を１列減らして第５列目を最後の列とし、第５列目の幅を２４０ｍｍ＋６００ｍｍ（パネル幅）＋２０ｍｍ（目地幅）＝８６０ｍｍとすればよい（図１参照）。
【００１１】
本願の請求項３の発明は、請求項１又は２の割付方法において、前記上床用パネルが上床ベースパネルであることを特徴とする二重床の上床貼付パネル割付方法である。上床ベースパネルは上床を構成する構造材（上床の荷重を受け止めて床支持具に伝達するもの）で、一般的にはパーティクルボード又は合板である。
【００１２】
本願の請求項４の発明は、下床上に設置した床支持具及び該床支持具上に形成した上床を有する二重床であって、請求項１〜３の割付方法で上床用パネルを割り付けたことを特徴とする二重床である。
【発明の効果】
【００１３】
本発明においては、上床用パネルの長辺方向の切断が最小限となるので、残材の発生が最小限となり、上床用パネルが産業廃棄物となるのを防止し環境負荷を低減することができる。
【発明を実施するための最良の形態】
【００１４】
本発明において、二重床は、下床の上に所定間隔離して上床を形成したものをいう。上床用パネルは上床ベースパネルをはじめ、上床に貼付する全ての長方形状パネルを含む。上床ベースパネルは上床を構成する構造材（上床の荷重を受け止めて床支持具に伝達するもの）で、一般的にはパーティクルボード又は合板である。大きさは長方形であればよいが、一般的には４５５ｍｍ×１８２０ｍｍ、６００ｍｍ×１８２０ｍｍ、９１０ｍｍ×１８２０ｍｍ、厚さは２０ｍｍ又は２５ｍｍが一般的である。図３は最も普通である６００ｍｍ×１８２０ｍｍの上床ベースパネルである。上床ベースパネルを貼付した上にはさらに捨貼り支持板部（遮音シート、合板パネルなど）を貼付したり、任意の仕上材（フローリング、畳、絨毯など）を設けることができる。
【００１５】
図７に示すのは、上床ベースパネル１の上に遮音シート１１、合板パネル１２（捨て貼り）、及び仕上げ材であるフローリング１３を貼付した例を示している。このような場合の遮音シート１１及び合板パネル１２も本発明における上床用パネルに該当し、これらの割付方法も本発明の割付方法の対象となる。また、上床ベースパネルの上に床暖房パネルを設けた場合に、その周囲に捨て貼りの合板パネルを貼付する場合の割付方法も本発明の対象となる。
【００１６】
床支持具は、上床を下床から浮かせて支持できるものであればよい。図４は単足の床支持具２の例で、支持板部５、受金具７、ボルト６、脚部８からなる。支持板部５は木質の板でボルト孔を有し、下面に受金具７が固定されている。受金具７は雌ねじ孔にボルト６が螺着される。脚部８は防振ゴムでボルト６の下端が挿入されている。ボルト６の上面には直径方向の溝があり、上からドライバーで回転して高さ調整が可能である。図５は複足の床支持具３で、図４と同じ機能の部材に同じ符号を付している。床支持具としては、図４の単足床支持具、図５の複足の床支持具、これらの組み合わせ、又古来の大引・根太など種々のものを用いることができる。なお、図４、５は上段に平面図、下段に断面図を示している。
【実施例】
【００１７】
図１は実施例の二重床の平面説明図、図２は図１におけるＸＸ線断面図である。図１の居室は壁Ａ、Ｂ、Ｃ、Ｄで囲まれ、大きさは２５００ｍｍ×３３４０ｍｍである。この居室に図３の６００ｍｍ×１８２０ｍｍの上床ベースパネル１を割り付ける。下床９の上に単足の床支持具２及び複足の床支持具３を適宜配置し、壁際に沿っては際根太４を設ける。際根太４は角材（木材）で、適宜間隔で設けた束１０（角材）によって支持する。これらの床支持具の上に上床ベースパネル１を貼付する。
【００１８】
上床ベースパネルをどの壁から割り付けていくかは任意であるが、この場合は壁Ａから割り付けている。上床ベースパネル１はその長辺が壁Ａと平行になるように貼っていく。図中一点鎖線の矢印は、上床ベースパネル１を貼る長辺方向及び順序を示している。但し、順序は例示であって、これに限るものではない。パネル（イ）は全く切断していない、いわゆる「真物（まもの）」である。パネル（ロ）は真物を短辺方向に長さ６８０ｍｍで切断したものである。パネル（ハ）はパネル（ロ）を切断した残りである。このようにして第１列〜第４列、パネル（イ）〜（リ）を貼付する。第４列を貼り終わるまで、上床ベースパネル１を長辺方向に切断する必要は全くない。なお、各列の間に目地幅２０ｍｍをとっているのは、上方から支持金具２、３のボルト６を回転して高さ調整できるようにするためである。捨て貼り合板を割り付ける場合などは、このような目地は不要となる。
【００１９】
図１に示すように、最後の列である第５列の幅は８６０ｍｍで、２５０ｍｍよりも広くとっている。仮に第５列迄同様に（パネルの長辺が壁Ａと平行になるように）貼ってしまうと、最後の第６列の幅が２４０ｍｍと、小さくなってしまうからで、列の数を減らして最後の列の幅を広くとっている。最後の列である第５列、すなわち、壁Ａと対向する壁Ｃに面する列においては、上床ベースパネルの割付方向を９０°変更し、上床ベースパネルの長辺が壁Ａと直角方向となる向きに貼っていく。この場合は、上床ベースパネルを長辺方向に全く切断することなく、貼り終わることができる。また、仮に最後の列（第５列）の端部において長辺方向を切断する必要ができたとしても、切断する長さは最後の列の幅（８６０ｍｍ）でよいので、上床ベースパネルの長辺方向の切断を最小限とすることができ、残材の発生を著しく低減できる。
【００２０】
本発明は、正方形、長方形の部屋以外でも、概略形状が四辺形をなす部屋に適用できる。図６は台形の部屋に割り付けた例を示している。この部屋は壁Ａ、Ｂ、Ｃ、Ｄからなるが、壁Ｃが斜めになっている。このような場合は、斜めの壁Ｃに対向する壁Ａから割り付けていくのが好ましい。壁Ａから長辺がこれと平行になるように上床ベースパネル１を貼っていき、最後の列（第５列）は今までと直角の向きに貼る。この場合、第５列の最小の幅ａが２００ｍｍ（さらに好ましくは２５０ｍｍ）よりも広くなるように、最後の列の幅を選択することが望ましい。
【産業上の利用可能性】
【００２１】
本発明は、マンション、事務所建築などの二重床に適用して有効なものである。下床としては、主にコンクリートスラブであるが、これに限るものではない。
【図面の簡単な説明】
【００２２】
【図１】実施例の二重床の上床ベースパネル割付状態を示す平面説明図である。
【図２】図１におけるＸＸ線断面図である。
【図３】上床ベースパネル１の平面図である。
【図４】床支持具２の説明図である。
【図５】床支持具３の説明図である。
【図６】実施例の二重床の上床ベースパネル割付状態を示す平面説明図である。
【図７】二重床の他例の断面図である。
【図８】従来の二重床の上床ベースパネル割付状態を示す平面説明図である。
【符号の説明】
【００２３】
１  上床ベースパネル
２  床支持具
３  床支持具
４  際根太
５  支持板部
６  ボルト
７  受金具
８  脚部
９  下床
１０  束
１１  遮音シート
１２  合板パネル
１３  フローリング
【図１】
2005097900.tif 000003
【図２】
2005097900.tif 000004
【図３】
2005097900.tif 000005
【図４】
2005097900.tif 000006
【図５】
2005097900.tif 000007
【図６】
2005097900.tif 000008
【図７】
2005097900.tif 000009
【図８】
2005097900.tif 000010